(57)【要約】【課題】  迅速にPVC接続を張り替え構成に無駄のないPVC切替制御装置を提供する。【解決手段】  テーブル１０は切替先回線番号，当該物理回線のVPI番号，VCI番号を保持可能であり、テーブル１１は呼情報を保持している。回線障害判断部９は、回線状態変化通知を受けると、障害内容を分析してPVCの切替が必要と判断した場合は回線障害通知を送信する。PVC一斉切替部８は、回線障害通知を受けると通知内容の回線番号にてテーブル１０を検索して保持内容を読み出し、切替先回線番号にてテーブル１１を検索して切替え先に設定されている呼情報を読み出す。その内容により切替可能ならばテーブル１０から求めたPVI番号とVCI番号で切替先と切替元の回線終端部へPVC設定書替えを行う。【選択図】        図２
2006101071.tif 000002
【特許請求の範囲】
【請求項１】
ＡＴＭ網に設定されているＰＶＣ接続の物理回線に障害が発生した場合にＰＶＣ切替制御を行うＰＶＣ切替制御装置において、
物理回線と１対１対応に、少なくとも１つの切替先回線番号ならびにＰＶＣ設定時に書き込まれた当該物理回線のＶＰＩ番号およびＶＣＩ番号を保持可能なＰＶＣ一斉切替管理テーブルと、
物理回線と１対１対応に当該回線の優先レベル，ＳＶＣとＰＶＣを区分する呼種別および残帯域から成る呼情報を保持している優先レベル管理テーブルと、
前記物理回線を終端する回線終端部から回線状態変化通知を受けると、障害内容を分析して障害の発生を判断し、ＰＶＣの切替が必要と判断した場合は回線障害通知を送付する回線障害判断部と、
前記回線障害通知を受けると、通知内容の回線番号にて前記ＰＶＣ一斉切替管理テーブルを検索して、切替先回線番号，ＶＰＩ番号およびＶＣＩ番号を求め、求めた切替先回線番号にて前記優先レベル管理テーブルを検索し、切替え先に設定されている呼情報を読み出して、その内容により、切替可能ならば、ＰＶＣ一斉切替管理テーブルから求めた前記ＰＶＩ番号とＶＣＩ番号にて切替先の回線終端部と切替元の回線終端部へＰＶＣ設定書替えを行うＰＶＣ一斉切替部とで構成されるＰＶＣ切替制御装置。
【請求項２】
前記ＰＶＣ一斉切替管理テーブルは切替元回線番号をも保持しており、前記ＰＶＣ一斉切替部は、ＰＶＣ一斉切替管理テーブルを検索するときの回線番号と登録されている切替元回線番号とが一致することを確認の上で前記処理を行うことを特徴とする請求項１に記載のＰＶＣ切替制御装置。
【請求項３】
前記ＰＶＣ一斉切替部は、前記残帯域が有るとき、または前記残帯域および他の切替先回線が無くても前記呼種別がＳＶＣであるとき、または前記残帯域，他の切替先回線および前記呼種別がＳＶＣでなくても前記優先レベルが高であるときは前記切替可能とすることを特徴とする請求項１または請求項２に記載のＰＶＣ切替制御装置。
【請求項４】
前記ＰＶＣ一斉切替部は、１つの切替先回線番号について前記回線切替条件を満たさないときに、他の切替先回線番号について前記回線切替条件を満たせば該切替先回線ヘの前記切替可能とすることを特徴とする請求項１，請求項２または請求項３に記載のＰＶＣ切替制御装置。
【請求項５】
ＡＴＭ網に設定されているＰＶＣ接続の物理回線に障害が発生した場合にＰＶＣ切替制御を行うＰＶＣ切替制御方法であって、
物理回線と１対１対応に、少なくとも１つの切替先回線番号ならびにＰＶＣ設定時に書き込まれた当該物理回線のＶＰＩ番号およびＶＣＩ番号をＰＶＣ一斉切替管理テーブルに保持おく手順と、
物理回線と１対１対応に当該回線の優先レベル，ＳＶＣとＰＶＣを区分する呼種別および残帯域から成る呼情報を優先レベル管理テーブルに保持しておく手順と、
前記物理回線を終端する回線終端部から回線状態変化通知を受けると、障害内容を分析して障害の発生を判断する手順と、
ＰＶＣの切替が必要と判断した場合は回線障害通知を送付する手順と、
回線障害通知を受けると、通知内容の回線番号にて前記ＰＶＣ一斉切替管理テーブルを検索して切替先回線番号，ＶＰＩ番号およびＶＣＩ番号を求める手順と、
求めた切替先回線番号にて前記優先レベル管理テーブルを検索して切替え先に設定されている呼情報を読み出す手順と、
読み出した呼情報内容により、切替可能ならば、ＰＶＣ一斉切替管理テーブルから求めた前記ＰＶＩ番号とＶＣＩ番号にて切替先の回線終端部と切替元の回線終端部へＰＶＣ設定書替えを行う手順とを有することを特徴とするＰＶＣ切替制御方法。
【発明の詳細な説明】
【技術分野】
【０００１】
本発明は、ＰＶＣ切替制御に関し、特にＡＴＭ網に設定されているＰＶＣ（Permanent Virtual Circuit）接続の物理回線に障害が発生した場合のＰＶＣ切替制御に関する。
【背景技術】
【０００２】
ＡＴＭ網に設定されているＰＶＣ接続をオペレータの介在なくして切り替える方法として、ＮＭＳ（網管理システム：Network Management System）からの指示により障害発生時にＰＶＣ接続を切り換える技術が知られている（例えば、特許文献１参照）。この方法は、複数の下位ＮＭＳを統合管理する上位ＮＭＳにより、複数の下位ＮＭＳが管理するドメイン間にまたがって全ネットワーク規模でＰＶＣを迂回させることで、仕様の異なる機器が混在するネットワークにも対応できるようにしたものである。
【０００３】
また、２つのＡＴＭ交換機間に複数のＰＶＣ接続と、それぞれに対応した制御用コネクションとを予め設定し、ＡＴＭ交換機の各々は、各制御用コネクションに基づいて対応するＰＶＣ接続の障害発生および復旧を検出し、その検出結果に応じて運用ＰＶＣ接続を他のＰＶＣ接続へ切り換える方法も知られている（例えば、特許文献２参照）。
【０００４】
【特許文献１】特開２００２−９４５１０（第２頁ー第３頁、図２）
【特許文献２】特開２００２−２０８９４１（第１頁ー第２頁、図１）
【発明の開示】
【発明が解決しようとする課題】
【０００５】
しかしながら、特許文献１記載の技術では、障害発生時にＮＭＳからの指示に従いＰＶＣ接続を切り替えるため、ＮＭＳからの指示が必ず必要であるので、切替処理に多大な時間を費やすという難点がある。
【０００６】
また、特許文献２記載の技術では、障害発生時に備えて予め複数のＰＶＣ接続を留保しておくため、冗長なシステム構成になるという問題点がある。
【０００７】
そこで、本発明の目的は、ＡＴＭ網に設定されているＰＶＣ接続の物理回線に障害が発生した場合、迅速にＰＶＣ接続を張り替えることができるＰＶＣ切替制御装置およびＰＶＣ切替制御方法を提供することにある。
【０００８】
また、本発明の他の目的は、構成に無駄のないＰＶＣ切替制御装置およびＰＶＣ切替制御方法を提供することにある。
【課題を解決するための手段】
【０００９】
請求項１記載のＰＶＣ切替制御装置は、ＡＴＭ網に設定されているＰＶＣ接続の物理回線に障害が発生した場合にＰＶＣ切替制御を行うＰＶＣ切替制御装置において、物理回線と１対１対応に、少なくとも１つの切替先回線番号ならびにＰＶＣ設定時に書き込まれた当該物理回線のＶＰＩ番号およびＶＣＩ番号を保持可能なＰＶＣ一斉切替管理テーブルと、物理回線と１対１対応に当該回線の優先レベル，ＳＶＣとＰＶＣを区分する呼種別および残帯域から成る呼情報を保持している優先レベル管理テーブルと、物理回線を終端する回線終端部から回線状態変化通知を受けると、障害内容を分析して障害の発生を判断し、ＰＶＣの切替が必要と判断した場合は回線障害通知を送付する回線障害判断部と、回線障害通知を受けると、通知内容の回線番号にてＰＶＣ一斉切替管理テーブルを検索して、切替先回線番号，ＶＰＩ番号およびＶＣＩ番号を求め、求めた切替先回線番号にて優先レベル管理テーブルを検索し、切替え先に設定されている呼情報を読み出して、その内容により、切替可能ならば、ＰＶＣ一斉切替管理テーブルから求めたＰＶＩ番号とＶＣＩ番号にて切替先の回線終端部と切替元の回線終端部へＰＶＣ設定書替えを行うＰＶＣ一斉切替部とで構成される。
【００１０】
請求項２記載のＰＶＣ切替制御装置は、請求項１に記載のＰＶＣ切替制御装置において、ＰＶＣ一斉切替管理テーブルは切替元回線番号をも保持しており、ＰＶＣ一斉切替部は、ＰＶＣ一斉切替管理テーブルを検索するときの回線番号と登録されている切替元回線番号とが一致することを確認の上で処理を行うことを特徴とする。
【００１１】
請求項３記載のＰＶＣ切替制御装置は、請求項１または請求項２に記載のＰＶＣ切替制御装置において、ＰＶＣ一斉切替部は、残帯域が有るとき、または残帯域および他の切替先回線が無くても呼種別がＳＶＣであるとき、または残帯域，他の切替先回線および呼種別がＳＶＣでなくても優先レベルが高であるときは切替可能とすることを特徴とする。
【００１２】
請求項４記載のＰＶＣ切替制御装置は、請求項１，請求項２または請求項３に記載のＰＶＣ切替制御装置において、ＰＶＣ一斉切替部は、１つの切替先回線番号について回線切替条件を満たさないときに、他の切替先回線番号について回線切替条件を満たせば該切替先回線ヘの切替可能とすることを特徴とする。
【００１３】
請求項５記載のＰＶＣ切替制御方法は、ＡＴＭ網に設定されているＰＶＣ接続の物理回線に障害が発生した場合にＰＶＣ切替制御を行うＰＶＣ切替制御方法であって、物理回線と１対１対応に、少なくとも１つの切替先回線番号ならびにＰＶＣ設定時に書き込まれた当該物理回線のＶＰＩ番号およびＶＣＩ番号をＰＶＣ一斉切替管理テーブルに保持おく手順と、物理回線と１対１対応に当該回線の優先レベル，ＳＶＣとＰＶＣを区分する呼種別および残帯域から成る呼情報を優先レベル管理テーブルに保持しておく手順と、物理回線を終端する回線終端部から回線状態変化通知を受けると障害内容を分析して障害の発生を判断する手順と、ＰＶＣの切替が必要と判断した場合は回線障害通知を送付する手順と、回線障害通知を受けると通知内容の回線番号にてＰＶＣ一斉切替管理テーブルを検索して切替先回線番号，ＶＰＩ番号およびＶＣＩ番号を求める手順と、求めた切替先回線番号にて優先レベル管理テーブルを検索して切替え先に設定されている呼情報を読み出す手順と、読み出した呼情報内容により、切替可能ならば、ＰＶＣ一斉切替管理テーブルから求めたＰＶＩ番号とＶＣＩ番号にて切替先の回線終端部と切替元の回線終端部へＰＶＣ設定書替えを行う手順とを有することを特徴とする。
【発明の効果】
【００１４】
本発明によれば、ＣＰＵが回線障害を判断し、ＰＶＣ一斉切替管理テーブルを用いてＰＶＣ接続を切り替るため、ＮＭＳ等の介在なしでＰＶＣ接続を切り替えることができ、迅速にＰＶＣ接続を張り替えることができるという第１の効果が得られる。この場合、ＰＶＣ接続を設定した時のＰＶＩ番号，ＶＣＩ番号を用いて切替先回線に再度設定し直しているため、ＰＶＣ障害発生時にＰＶＣ接続を張り替えてもＶＰＩ番号とＶＣＩ番号が変わることがない。
【００１５】
また、切替先回線は、ＰＶＣ障害発生に伴うＰＶＣ張替えが発生するまでは通常の用法で使用することができるため、切替先の回線リソースを有効活用できるので構成に無駄がないという第２の効果もある。
【発明を実施するための最良の形態】
【００１６】
本発明のＰＶＣ切替制御装置は、回線障害判断部と、ＰＶＣ一斉切替部と、障害発生時に参照しＰＶＣ接続を切り替えるために用いられるＰＶＣ一斉切替管理テーブルと、ＰＶＣ切替先の優先レベル管理テーブルにより構成されている。
【００１７】
回線障害判断部から回線障害と判断されると、ＰＶＣ一斉切替部は、ＰＶＣ一斉切替管理テーブルを障害回線番号で検索し、切替先回線番号を求める。そして、求まった切替先回線番号で、優先レベル管理テーブルを検索し、切替先の物理回線に現在張られている優先レベルと呼種別を参照して、切替可能か判断を行い切替可能の場合にはＰＶＣ一斉切替管理テーブルの内容によりＰＶＣ接続の切替えを行う。
【実施例１】
【００１８】
次に、本発明のＰＶＣ切替制御装置の実施例について図面を参照して詳細に説明する。
【００１９】
図１は本発明が適用されるネットワークの具体例を示し、対向するＡＴＭ交換機１とＡＴＭ交換機２が、４つの物理回線３〜物理回線６で接続されている。これらの物理回線３〜６は、ＳＶＣ（Switched Virtual Circuit）またはＰＶＣのいずれででも使用できる。
【００２０】
この例では、物理回線３はＰＶＣ接続で使用され、物理回線３に障害が発生した場合に物理回線４に切り替えるものとする。しかし、物理回線３に障害が発生するまでは、物理回線４は、物理回線３，５，６と同様に、通常の用法により使用され得る。物理回線４〜６のＰＶＣ接続の切替えについては言及しないが、物理回線３に対する記述と同様に考えてよい。
【００２１】
図２は、上記物理回線３のＰＶＣ接続の切替えを意識した本発明のＰＶＣ切替制御装置の一実施例を示し、２つの回線終端部１２，１３と、ＣＰＵ７とから成る。回線終端部１２は物理回線３を終端し、回線終端部１３は物理回線４を終端する。回線終端部１２は、ＬＯＳ（Loss Of Signal），ＬＯＦ（Loss Of Frame），ＡＩＳ（Arm Indication Signal），ＲＤＩ（Remote Defect Indication），ＬＯＣ（Loss Of Cell）等のエラーを物理層プロトコルで検出し、回線状態変化通知をＣＰＵ７へ送付する。
【００２２】
ＣＰＵ７は、ＰＶＣ一斉切替部８，回線障害判断部９，ＰＶＣ一斉切替管理テーブル１０および優先レベル管理テーブル１１を備えている。回線障害判断部９は、回線状態変化通知を受けると、これに伴う障害情報の解析を行う。回線障害判断部９には、回線終端部１２で検出した前記のエラーの内、どのエラーを障害とするかが予め設定されており、回線終端部１２から通知された障害内容を分析して障害の発生を判断する。そして、ＰＶＣの切替が必要と判断した場合はＰＶＣ一斉切替部８に回線障害通知を送付する。
【００２３】
ＰＶＣ一斉切替部８は、回線障害通知を受けると、通知内容の回線番号にてＰＶＣ一斉切替管理テーブル１０を検索して、当該回線（切替元回線）が登録されていることを確認の上で、さらに切替先回線番号が登録されていれば、切替先回線番号，ＶＰＩ（仮想パス識別子：Virtual Path Identifier）番号およびＶＣＩ（仮想チャンネル識別子：Virtual Channel Identifier）番号を求める。
【００２４】
そして、ＰＶＣ一斉切替部８は、求めた切替先回線番号にて優先レベル管理テーブル１１を検索し、切替え先に設定されている呼情報（優先レベル，呼種別，残帯域）を読み出す。そして、その内容により、切替可能ならば、ＰＶＣ一斉切替管理テーブルから求めた上記ＰＶＩ，ＶＣＩにて切替先の回線終端部１３と切替元回線終端部１２へＰＶＣ設定書替えを行い、これによりＰＶＣ接続の一斉切替えを行う。なお、上記切替アルゴリズムについては後に詳述する。
【００２５】
ＰＶＣ一斉切替管理テーブル１０は、図３に詳細を示すように、物理回線３〜６と１対１対応に、切替元回線番号，切替先回線番号，ＶＰＩ番号およびＶＣＩ番号を保持している。切替先回線番号は複数を登録できる。切替元回線番号は、正しくは当該物理回線番号と同一である。これは、ＰＶＣ一斉切替管理テーブル１０への切替元回線番号，切替先回線番号，ＶＰＩ番号およびＶＣＩ番号の登録が手作業で行われることに鑑み、登録データの信頼性の向上を意図した措置である。上記の例であれば、切替元回線番号は物理回線３の回線番号、切替先回線番号は物理回線４の回線番号となる。ＶＰＩ番号，ＶＣＩ番号は、ＰＶＣ設定時に書き込まれた物理回線３のＰＶＩ番号，ＶＣＩ番号である。
【００２６】
優先レベル管理テーブル１１は、図３に詳細を示すように、物理回線３〜６と１対１対応に、優先レベル，呼種別および残帯域を保持している。優先レベルとはその物理回線（切替先回線）の使用レベル（高か低）であって、高とは、例えば契約で高料金の見返りに絶対的に切替えを禁じる使用レベルをいう。呼種別とはその物理回線（切替先回線）がＳＶＣかＰＶＣかの別、残帯域とはその物理回線（切替先回線）に未使用のまま残っている帯域をいう。
【００２７】
次に、以上のように構成された本ＰＶＣ切替制御装置の動作について、図５のシーケンスチャートおよび図６のフローチャートを参照しながら説明する。
【００２８】
いま、ＣＰＵ７が回線終端部１２から回線状態変化通知を受けたとする（図５のステップＳ０）。回線障害判断部９は障害内容の分析を行い、ＰＶＣ接続の切替えが必要か判断を行い、切替えが必要な場合に、回線障害発生通知をＰＶＣ一斉切替部８に送付する（ステップＳ１）。
【００２９】
回線障害発生通知を受けたＰＶＣ一斉切替部８は、通知情報内の回線番号にてＰＶＣ一斉切替管理テーブル１０を検索して（ステップＳ２）、全ての切替先回線番号，ＰＶＩ番号およびＶＣＩ番号を求める（ステップＳ３）。
【００３０】
ＰＶＣ一斉切替部８は、切替先回線番号が求まったら、さらに優先レベル管理テーブル１１を切替先回線番号で検索し（ステップＳ４）、切替先呼情報を読み出して（ステップＳ５）、切替可能か判断する。その結果、切替え可能ならば、ＰＶＩ番号，ＶＣＩ番号にて切替先の回線終端部１３へＰＶＣ設定書替えを行う（ステップＳ６）。さらに切替元回線終端部１２へもＰＶＣ設定書替え（ステップＳ７）を行い、これでＰＶＣ一斉切替が完了する。
【００３１】
図６はＰＶＣ一斉切替部８におけるＰＶＣ接続の切替アルゴリズムを示すフローチャートである。ＰＶＣ一斉切替部８は、受けた障害情報に含まれている回線番号（切替元回線番号）でＰＶＣ一斉切替管理テーブル１０を検索する（図６のステップＡ１）。そして、先ず切替先回線番号と切替元回線番号が登録されているか判断し、またＰＶＩ番号およびＶＣＩ番号を求める。
【００３２】
切替先回線番号が登録されていない場合には（ステップＡ２でＮＯ）処理を終了する。切替先回線番号が登録されているが（ステップＡ２でＹＥＳ）、切替元回線番号が登録されていない場合にも（ステップＡ３でＮＯ）処理を終了する。
【００３３】
切替先回線番号および切替元回線番号が登録されている場合には（ステップＡ２およびＡ３でＹＥＳ）、切替先回線番号で優先レベル管理テーブル１１を検索する（ステップＡ４）。そして、切替先回線の呼情報を読み出し、残帯域，呼種別および優先レベルを基に切替可否を判断する。
【００３４】
残帯域が有る場合（ステップＡ５でＹＥＳ）、切替先回線番号の回線に切り替える（ステップＡ６）。一方、残帯域が無い場合であって（ステップＡ５でＮＯ）、他にも切替先回線番号が登録されていない場合には（ステップＡ７でＮＯ）、先に優先レベル管理テーブル１１の検索（ステップＡ１）によって読み出されている切替先回線対応の呼種別がＳＶＣであるか否かを判断する（ステップＡ８）。
【００３５】
その結果、ＳＶＣなら（ステップＡ８でＹＥＳ）切替先回線番号の回線に切り替えるが（ステップＡ６）、ＳＶＣでない、すなわち切替先回線もＰＶＣなら（ステップＡ８でＮＯ）、切替元回線の優先レベルにより決する（ステップＡ９）。つまり、切替先回線の優先度が低なら（ステップＡ９でＹＥＳ）切替先回線番号の回線に切り替え（ステップＡ６）、高なら（ステップＡ９でＮＯ）切り替えずに処理を終了する。
【００３６】
ステップ７において、他にも切替先回線番号が登録されている場合は（ステップＡ７でＹＥＳ）、その切替先回線番号で再び優先レベル管理テーブル１１を検索する（ステップＡ４）。そして、その切替先回線の呼情報を読み出し、上述の手順と同様に、残帯域，呼種別および優先レベルを基に切替可否を判断する。
【００３７】
他の切替先回線の残帯域が有る場合（ステップＡ５でＹＥＳ）、その切替先回線番号の回線に切り替える（ステップＡ６）。一方、残帯域が無い場合であって（ステップＡ５でＮＯ）、更に切替先回線番号が登録されていない場合には（ステップＡ７でＮＯ）、先に優先レベル管理テーブル１１の検索（ステップＡ１）によって読み出されている他の切替先回線対応の呼種別がＳＶＣであるか否かを判断する（ステップＡ８）。
【００３８】
その結果、ＳＶＣなら（ステップＡ８でＹＥＳ）、他の切替先回線番号の回線に切り替えるが（ステップＡ６）、ＳＶＣでない、すなわち他の切替先回線もＰＶＣなら（ステップＡ８でＮＯ）、切替元回線との優先レベルにより決する（ステップＡ９）。つまり、他の切替先回線の優先度が低なら（ステップＡ９でＹＥＳ）、他の切替先回線番号の回線に切り替え（ステップＡ６）、高なら（ステップＡ９でＮＯ）切り替えずに処理を終了する。
【００３９】
ステップＡ４〜ステップＡ７は回線切替が実行される（ステップＡ６）か、ステップＡ９においてＮＯとされるまで繰り返される。
【図面の簡単な説明】
【００４０】
【図１】本発明が適用されるネットワークの具体例を示図
【図２】本発明のＰＶＣ切替制御装置の一実施例を示す図
【図３】本発明におけるＰＶＣ一斉切替管理テーブルの一例を示す図
【図４】本発明における優先レベル管理テーブルの一例を示す図
【図５】本発明のシーケンスチャート
【図６】本発明におけるＰＶＣ接続の切替アルゴリズムを示すフローチャート
【符号の説明】
【００４１】
１，２      ＡＴＭ交換機
３〜６      物理回線
７          ＣＰＵ
８          ＰＶＣ一斉切替部
９          回線障害判断部
１０        ＰＶＣ一斉切替管理テーブル
１１        優先レベル管理テーブル
１２〜１３  回線終端部
【図１】
2006101071.tif 000003
【図２】
2006101071.tif 000004
【図３】
2006101071.tif 000005
【図４】
2006101071.tif 000006
【図５】
2006101071.tif 000007
【図６】
2006101071.tif 000008